(57)【要約】【課題】  施される装飾を簡単に変更できるようにする。【解決手段】  トイレットペーパホルダＨとトイレットペーパホルダＨに支持されたロールタイプのトイレットペーパＲの上部とを覆うカバー部１と、カバー部１から下方に延び予備のロールタイプのトイレットペーパＲが収容される付属部２とを備えている。カバー部１，付属部２は、シート状の装飾が施された装飾材Ｓが差込み収容される袋部５，６が設けられている。袋部５，６は、前面が装飾材Ｓを透視可能な透明材または半透明材である。【選択図】        図１
0003132259.tif 000002
【実用新案登録請求の範囲】
【請求項１】
トイレットペーパホルダとトイレットペーパホルダに支持されたロールタイプのトイレットペーパの上部とを覆うカバー部と、カバー部から下方に延び予備のロールタイプのトイレットペーパが収容される付属部とを備えたトイレットペーパホルダ用カバーにおいて、カバー部，付属部の一方または双方はシート状の装飾が施された装飾材が差込み収容される袋部が設けられ、袋部は前面が装飾材を透視可能な透明材または半透明材であることを特徴とするトイレットペーパホルダ用カバー。
【請求項２】
請求項１のトイレットペーパホルダ用カバーにおいて、袋部は前面が防水性の材質であることを特徴とするトイレットペーパホルダ用カバー。
【請求項３】
請求項２のトイレットペーパホルダ用カバーにおいて、カバー部，付属部は防水性の材質であることを特徴とするトイレットペーパホルダ用カバー。
【請求項４】
請求項１〜３のいずれかのトイレットペーパホルダ用カバーにおいて、カバー部，付属部は装飾が施されていることを特徴とする。
【請求項５】
請求項１〜４のいずれかのトイレットペーパホルダ用カバーにおいて、袋部は前面となる単枚の合成樹脂シートが合成樹脂シートであるカバー部，付属部にヒートシールされて形成されていることを特徴とするトイレットペーパホルダ用カバー。
【請求項６】
請求項１〜５のいずれかのトイレットペーパホルダ用カバーにおいて、カバー部，付属部はベルベットファスナにより着脱可能に連結されていることを特徴とするトイレットペーパホルダ用カバー。        
【考案の詳細な説明】
【技術分野】
【０００１】
本考案は、トイレの便器近くの壁面等に設置されロールタイプのトイレットペーパを繰出し可能に支持するトイレットペーパホルダに取付け使用されるトイレットペーパホルダ用カバーに係る技術分野に属する。
【背景技術】
【０００２】
トイレットペーパホルダは、トイレの壁面等に固定される支持枠にロールタイプのトイレットペーパの中空芯に挿通される軸体が設けられ、トイレットペーパを回転可能に支持して繰出されるようにしたものが一般的である。このトイレットペーパホルダは、トイレの種々の雰囲気（壁面の色，模様等）に対応する汎用性を備えるために、構造，色，模様等が比較的シンプルに構成されている。このため、一般家庭等では、トイレットペーパホルダにカバーを取付けて好みの装飾を施すことが行われている。
【０００３】
従来、トイレットペーパホルダ用カバーとしては、例えば、特開平１０−４３０８６号公報に記載のものが知られている。
【０００４】
この従来のトイレットペーパホルダ用カバーは、トイレットペーパホルダとトイレットペーパホルダに支持されたロールタイプのトイレットペーパの上部とを覆うカバー部と、カバー部から下方に延び予備のロールタイプのトイレットペーパが収容される付属部とを備えている。
【０００５】
この従来のトイレットペーパホルダ用カバーでは、カバー部，付属部を形成する材料の色，模様等を工夫することで好みの装飾を施すことになる。
【０００６】
【特許文献１】特開平１０−４３０８６号公報
【考案の開示】
【考案が解決しようとする課題】
【０００７】
特許文献１に係るトイレットペーパホルダ用カバーでは、施された装飾が固定されてしまい、装飾を変更する場合には全体を取換えなければならないため、装飾の変更が面倒であるという問題点がある。
【０００８】
本考案は、このような問題点を考慮してなされたもので、施される装飾を簡単に変更することのできるトイレットペーパホルダ用カバーを提供することを課題とする。
【課題を解決するための手段】
【０００９】
前述の課題を解決するため、本考案に係るトイレットペーパホルダ用カバーは、実用新案登録請求の範囲の各請求項に記載の手段を採用する。
【００１０】
即ち、請求項１では、トイレットペーパホルダとトイレットペーパホルダに支持されたロールタイプのトイレットペーパの上部とを覆うカバー部と、カバー部から下方に延び予備のロールタイプのトイレットペーパが収容される付属部とを備えたトイレットペーパホルダ用カバーにおいて、カバー部，付属部の一方または双方はシート状の装飾が施された装飾材が差込み収容される袋部が設けられ、袋部は前面が装飾材を透視可能な透明材または半透明材であることを特徴とする。
【００１１】
この手段では、袋部に対して装飾材を抜差しすることで、装飾が施された装飾材を交換することができる。
【００１２】
また、請求項２では、請求項１のトイレットペーパホルダ用カバーにおいて、袋部は前面が防水性の材質であることを特徴とする。
【００１３】
この手段では、袋部の前面からの水の浸入を阻止することで、装飾材の水濡れ損傷が防止される。
【００１４】
また、請求項３では、請求項２のトイレットペーパホルダ用カバーにおいて、カバー部，付属部は防水性の材質であることを特徴とする。
【００１５】
この手段では、カバー部，付属部からの水の浸入を阻止することで、トイレットペーパの水濡れ損傷が防止される。
【００１６】
また、請求項４では、請求項１〜３のいずれかのトイレットペーパホルダ用カバーにおいて、カバー部，付属部は装飾が施されていることを特徴とする。
【００１７】
この手段では、カバー部，付属部に装飾が施されることで、カバー部，付属部に従来の固定的な装飾が施される。
【００１８】
また、請求項５では、請求項１〜４のいずれかのトイレットペーパホルダ用カバーにおいて、袋部は前面となる単枚の合成樹脂シートが合成樹脂シートであるカバー部，付属部にヒートシールされて形成されていることを特徴とする。
【００１９】
この手段では、合成樹脂シートのヒートシールという汎用されている製造方法が採用されることで、袋部の形成が容易になる。
【００２０】
また、請求項６では、請求項１〜５のいずれかのトイレットペーパホルダ用カバーにおいて、カバー部，付属部はベルベットファスナにより着脱可能に連結されていることを特徴とする。
【００２１】
この手段によると、カバー部，付属部を分離してトイレットペーパホルダに取付けることで、トイレットペーパホルダへの取付けが容易になる。
【考案の効果】
【００２２】
本考案に係るトイレットペーパホルダ用カバーは、袋部に対して装飾材を抜差しすることで、装飾が施された装飾材を交換することができるため、施される装飾を簡単に変更することができる効果がある。
【考案を実施するための最良の形態】
【００２３】
以下、本考案に係るトイレットペーパホルダ用カバーを実施するための最良の形態を図面に基づいて説明する。
【００２４】
この形態では、図１，図２に示すように、トイレの壁面Ｗに固定されるコ字形の支持枠ＨａにロールタイプのトイレットペーパＲの中空芯に挿通される軸体Ｈｂが設けられた一般家庭向けのトイレットペーパホルダＨに取付け使用されるものを示してある。
【００２５】
この形態は、カバー部１，付属部２，ベルベットファスナ３，４，袋部５，６の各部で構成されている。
【００２６】
カバー部１は、適当な色，模様等の装飾が施されたビニール等の防水性のある合成樹脂シートを形成素材としている。このカバー部１は、庇片１１，垂片１２，折曲辺１３によってＬ字形に形成されている。庇片１１は、トイレットペーパホルダＨの支持枠Ｈａの上面とトイレットペーパホルダＨに支持されたロールタイプのトイレットペーパＲの上部とを覆うようにほぼ長方形に形成されている。垂片１２は、トイレットペーパホルダＨの支持枠Ｈａの内部に差込まれるように庇片１１よりも相対的に小さなほぼ方形に形成されている。折曲辺１３は、庇片１１，垂片１２の境目でチューブ形に形成されている。この折曲辺１３については、例えば、庇片１１，垂片１２の境目をチューブ形に丸めて、丸めの端をヒートシールすることにより形成される。
【００２７】
付属部２は、適当な色，模様等の装飾が施されたビニール等の防水性のある合成樹脂シートを形成素材としている。この付属部２は、単枚の合成樹脂シートを折返し、折返し端を上部側にした筒形に形成されている。この付属部２については、例えば、後述のように一方のベルベットファスナ３をヒートシールする際に重ねられた折返し端をもヒートシールすることで形成される。
【００２８】
ベルベットファスナ３，４は、シート状の基材からフック形，リング形の微小突起を多数起立させたもので、押圧により接着され引張により剥離される機能を有している。一方のベルベットファスナ３は、カバー部１の垂片１２の下端縁に基材の周縁をヒートシールすることにより取付けられている。他方のベルベットファスナ４は、付属部２の上端縁（折返し端）に基材の縁辺をヒートシールすることにより取付けられている。
【００２９】
袋部５，６は、適当な色の装飾が施されまたは無色であって透明または半透明のビニール等の防水性のある合成樹脂シートを形成素材としている。この袋部５，６は、前面となる単枚の合成樹脂シートからなるもので、シート状の装飾材Ｓが差込み収容されるようになっている。一方の袋部５は、カバー部１の庇片１１の上面のほぼ全面に積層され、前方，左右の３方の縁辺がヒートシールされて封止縁５１とされ後方の１方の縁辺が開口されて装飾材Ｓの抜差口５２とされている。他方の袋部６は、付属部２の前方側の一部に積層され、上下２方の縁辺がヒートシールされて封止縁６１とされ左右２方の縁辺が開口されて装飾材Ｓの抜差口６２とされている。
【００３０】
この形態については、汎用されている合成樹脂シートのヒートシール技術が利用されるため、安価，容易に製造することができる。
【００３１】
この形態を使用するには、図３に示すように、袋部５，６にそれぞれ装飾材Ｓを差込み収容する。装飾材Ｓは、色，模様の装飾が施されている。ただし、装飾材Ｓに施される装飾については、シート状（多少の厚さは許容される）であれば意匠的なものの外に各種の情報，物品を選択することも可能である。即ち、装飾材Ｓの具体例としては、写真，絵画，ポストカード，メッセージカード，カレンダー，押花，パッチワーク，各種のメモ類（連絡事項，暗記用単語，暗記用年表等が記載されたもの）が挙げられる。
【００３２】
袋部５に装飾材Ｓが収容されたカバー部１は、図４に示すように、垂片１２がトイレットペーパホルダＨの支持枠Ｈａの内部（軸体Ｈｂに支持されているトイレットペーパＲとの間の）に差込まれて、庇片１１がトイレットペーパホルダＨの支持枠Ｈａの上面に載せられる。そして、袋部６に装飾材Ｓが収容された付属部２は、図５，図６に示すように、トイレットペーパホルダＨの支持枠Ｈａの下方に突出しているカバー部１の垂片１２の下端縁に取付けられているベルベットファスナ３に対して、上端縁に取付けられているベルベットファスナ４を接着させることでカバー部１に吊下げられて連結される。カバー部１，付属部２の連結は、トイレットペーパホルダＨの支持枠Ｈａと軸体Ｈｂに支持されているトイレットペーパＲとの狭いスペースであるにもかかわらず、ベルベットファスナ３，４によるワンタッチの作業で簡単に行うことができる。
【００３３】
トイレットペーパホルダＨに取付けられた後には、図１に示すように、付属部２に予備のトイレットペーパＲが収容される。
【００３４】
なお、図１に示す状態から袋部５，６に装飾材Ｓを差込み収容することも可能である。
【００３５】
図１に示す取付け使用状態では、装飾材Ｓに施されている装飾が適当な色の装飾が施されまたは無色であって透明または半透明である袋部５，６の前面から透視される。従って、装飾材Ｓに施されている装飾とカバー部１，付属部２に施されている装飾との相乗によって、全体として極めて高度の装飾性が得られる。
【００３６】
また、カバー部１，付属部２，袋部５，６が防水性のある合成樹脂シートからなるため、袋部５，６に収容されている装飾材Ｓやカバー部１の庇片１１に覆われたり付属部２に収容されているトイレットペーパＲが水濡れ損傷することがない。また、カバー部１の庇片１１が袋部５の積層による厚さの増加と折曲辺１３による縁辺の補強とによってある程度の伸展性を有しているため、トイレットペーパホルダＨの上部に庇形として保形されへこみ変形するようなことはない。従って、軸体Ｈｂに支持されたトイレットペーパＲの上部を覆うように設けられる天カバーがないタイプのトイレットペーパホルダＨでは、カバー部１がトイレットペーパホルダＨを保護する天カバーを代替することができる。また、カバー部１の折曲辺１３は、トイレットペーパホルダＨの上部に引掛かる格好となるため、庇片１１の無用のずれや脱落を防止するのに役立っている。
【００３７】
なお、付属部２に予備のトイレットペーパＲを収容することなく、付属部２の袋部６に収容されている装飾材Ｓを壁掛け装飾材のように機能させることもできる。
【００３８】
そして、図１に示す取付け使用状態から、施されている装飾を変更する場合には、袋部５，６から装飾材Ｓを抜出し別の装飾材Ｓを袋部５，６に差込むという簡単な装飾材Ｓの交換作業を行えばよい。
【００３９】
装飾材Ｓの交換作業については、図１の状態のまま実施することもできるし、装飾材Ｓの無用な傷付き損傷を避けたい場合にはカバー部１，付属部２をトイレットペーパホルダＨから取外して実施することもできる。
【００４０】
以上、図示した形態の外に、カバー部１，付属部２，袋部５，６の形成素材として、合成樹脂シート以外のものを選択することも可能である。また、カバー部１，付属部２，袋部５，６の形成手段として、ヒートシール技術以外の接着技術，取付技術，縫着技術を利用することも可能である。
【００４１】
即ち、例えば、カバー部１，付属部２を綿等の天然繊維や合成繊維の織布，不織布を形成材料とすることも可能である。また、袋部５，６を防水性のある合成樹脂シートとして裏面を有する独立した袋体とすることも可能である。また、袋部５，６を独立した袋体とする場合に、前面のみを防水性のある合成樹脂シートとし裏面を織布，不織布とすることも可能である。なお、カバー部１を織布，不織布とする場合には、垂片１２をトイレットペーパホルダＨの支持枠Ｈａの内部に差込みやすいように、垂片１２をある程度伸展性のある材質や厚さとするのが好ましい。
【００４２】
これ等の形態によると、カバー部１，付属部２に施される装飾により自由度が得られる。
【産業上の利用可能性】
【００４３】
本考案に係るトイレットペーパホルダ用カバーは、一般家庭用に限られず公衆トイレや宿泊施設のトイレに設置されるトイレットペーパホルダＨに使用することも可能である。このような使用の場合、装飾材Ｓに施される装飾としては広告，案内表示が考えらえる。
【図面の簡単な説明】
【００４４】
【図１】本考案に係るトイレットペーパホルダ用カバーを実施するための最良の形態の取付け使用状態の斜視図である。
【図２】図１の縦断面図（部分拡大図を含む）である。
【図３】図１の取外し状態の各部の分離された斜視図である。
【図４】図１への取付け作業を示す斜視図である。
【図５】図４に続く取付作業を示す斜視図である。
【図６】図４の取付作業の完了の状態の斜視図である。
【符号の説明】
【００４５】
１            カバー部
２            付属部
３，４        ベルベットファスナ
５，６        袋部
Ｈ            トイレットペーパホルダ
Ｒ            トイレットペーパ
Ｓ            装飾材
【図１】
0003132259.tif 000003
【図２】
0003132259.tif 000004
【図３】
0003132259.tif 000005
【図４】
0003132259.tif 000006
【図５】
0003132259.tif 000007
【図６】
0003132259.tif 000008
【手続補正書】
【提出日】平成19年3月22日(2007.3.22)
【手続補正１】
【補正対象書類名】実用新案登録請求の範囲
【補正対象項目名】請求項４
【補正方法】変更
【補正の内容】
【請求項４】
請求項１〜３のいずれかのトイレットペーパホルダ用カバーにおいて、カバー部、付属部は装飾が施されていることを特徴とするトイレットペーパホルダ用カバー。